(57)【要約】【課題】印刷データを印刷出力する印刷出力装置を制御する印刷制御装置において、ユーザが印刷データの印刷出力を高速かつ簡便にすることができる技術を提供することを目的とする。【解決手段】ユーザはフォルダ設定部２１において、フォルダＦ１、Ｆ２に対して印刷出力方式を設定する。スキャン装置１はプリンタドライバ起動部２２に、印刷データＤ１を送信するタイミングを示すパケットＰ１、Ｐ２を送信する。また、スキャン装置１は、ユーザが希望する印刷出力方式が設定されたフォルダに、印刷データＤ１を送信する。これにより、プリンタドライバ起動部２２は、そのフォルダが印刷データＤ１を受信し終わったタイミングを認識した直後に、そのフォルダに対して設定された印刷出力方式に基づいて、印刷出力装置３に印刷データＤ１を印刷出力させることができる。【選択図】図１
2008262297.tif 000002
【特許請求の範囲】
【請求項１】
印刷データ生成装置から印刷データを受信して、印刷出力装置に前記印刷データを印刷出力させる印刷制御装置であって、
前記印刷データを格納する記憶領域と、
前記記憶領域に対して印刷出力方式を設定する手段と、
前記印刷データ生成装置が前記印刷データを送信し始めるタイミングについての情報と、前記印刷データ生成装置が前記印刷データを送信し終わるタイミングについての情報と、を前記印刷データ生成装置から受信する手段と、
前記印刷データ生成装置が前記印刷データを送信し終わるタイミングについての情報を、前記印刷データ生成装置から受信すると、前記印刷出力方式に基づいて、前記印刷出力装置に前記印刷データを印刷出力させる手段と、
を備えることを特徴とする印刷制御装置。
【請求項２】
請求項１に記載の印刷制御装置において、
前記印刷出力方式は、
前記印刷データの本来の印刷出力サイズの変更を伴わない、所定サイズの印刷用紙への前記印刷データの出力方式、
を含むことを特徴とする印刷制御装置。
【請求項３】
請求項１に記載の印刷制御装置において、
前記印刷出力方式は、
前記印刷データの本来の印刷出力サイズの変更を伴う、所定サイズの印刷用紙への前記印刷データの出力方式、
を含むことを特徴とする印刷制御装置。
【発明の詳細な説明】
【技術分野】
【０００１】
本発明は、印刷データを印刷出力する印刷出力装置を制御する印刷制御装置において、ユーザが印刷データの印刷出力を高速かつ簡便にすることができる技術に関する。
【背景技術】
【０００２】
ユーザは印刷データを印刷出力するときに、印刷出力方式を判断したうえで、印刷出力方式に適した印刷出力装置を選択する。しかし、ユーザが多くの印刷データを印刷出力するときには、ユーザの負担が大きくなる問題が生ずる。この問題を解決することができる印刷制御装置について開示している文献として、下記の特許文献をあげることができる。
【０００３】
特許文献１においては、ユーザが印刷データを印刷出力するときに、印刷データは印刷制御装置に格納される。ここで、ユーザは印刷制御装置において印刷出力方式をあらかじめ設定している。そして、印刷制御装置は印刷データが所定フォルダに格納されているかどうかを定期的に確認する。
【０００４】
印刷制御装置は印刷データが格納されたことを確認すると、ユーザがあらかじめ設定した印刷出力方式に基づいて、印刷出力装置に印刷データを印刷出力させる。そのため、ユーザが印刷出力方式を判断して印刷出力装置を選択する負担を低減することができる。
【０００５】
【特許文献１】特許第３７１７６７９号公報
【発明の開示】
【発明が解決しようとする課題】
【０００６】
しかし、特許文献１においては、印刷データが所定フォルダに格納されたときから印刷出力装置に送信されるときまで、印刷データが所定フォルダに格納されているかどうかを、印刷制御装置が定期的に確認する時間間隔分のタイムラグが生ずる。
【０００７】
もっとも、印刷制御装置が定期的に確認する時間間隔が短縮されると、前述したタイムラグも短縮される。しかし、印刷制御装置の処理負荷が増大して処理速度が低下してしまう問題や、所定フォルダに格納されつつある印刷データが破壊される可能性が生ずる。
【０００８】
また、印刷データがスキャン装置により生成されるときには、印刷データの本来の印刷出力サイズは必ずしも規格サイズであるとは限らない。そのため、ユーザがスキャン装置により生成された印刷データを、ユーザが希望する規格サイズの印刷用紙に印刷出力することは困難である。
【０００９】
そこで、本発明は前記問題点に鑑み、印刷データを印刷出力する印刷出力装置を制御する印刷制御装置において、ユーザが印刷データの印刷出力を高速かつ簡便にすることができる技術を提供することを目的とする。
【課題を解決するための手段】
【００１０】
上記課題を解決するため、請求項１記載の発明は、印刷データ生成装置から印刷データを受信して、印刷出力装置に前記印刷データを印刷出力させる印刷制御装置であって、前記印刷データを格納する記憶領域と、前記記憶領域に対して印刷出力方式を設定する手段と、前記印刷データ生成装置が前記印刷データを送信し始めるタイミングについての情報と、前記印刷データ生成装置が前記印刷データを送信し終わるタイミングについての情報と、を前記印刷データ生成装置から受信する手段と、前記印刷データ生成装置が前記印刷データを送信し終わるタイミングについての情報を、前記印刷データ生成装置から受信すると、前記印刷出力方式に基づいて、前記印刷出力装置に前記印刷データを印刷出力させる手段と、を備えることを特徴とする。
【００１１】
請求項２記載の発明は、請求項１に記載の印刷制御装置において、前記印刷出力方式は、前記印刷データの本来の印刷出力サイズの変更を伴わない、所定サイズの印刷用紙への前記印刷データの出力方式、を含むことを特徴とする。
【００１２】
請求項３記載の発明は、請求項１に記載の印刷制御装置において、前記印刷出力方式は、前記印刷データの本来の印刷出力サイズの変更を伴う、所定サイズの印刷用紙への前記印刷データの出力方式、を含むことを特徴とする。
【発明の効果】
【００１３】
本発明に係る印刷制御装置は、印刷データが所定フォルダに格納され始めるタイミングと、印刷データが所定フォルダに格納され終わるタイミングを認識することができる。具体的には、印刷制御装置は、印刷データが所定フォルダに格納され始めることを示すパケットと、印刷データが所定フォルダに格納され終わることを示すパケットを受信することができる。そのため、印刷制御装置は、印刷データが所定フォルダに格納され終わるタイミングを認識すると、早急に印刷出力装置に印刷データを印刷出力させることができる。
【００１４】
また、本発明に係る印刷制御装置は、印刷データが所定フォルダに格納されているかどうかを定期的に確認することはない。そのため、印刷制御装置の処理負荷が増大して処理速度が低下する問題や、所定フォルダに格納されつつある印刷データが破壊されるといった問題を解消することができる。
【００１５】
さらに、本発明に係る印刷制御装置は、ユーザが希望する規格サイズの印刷用紙への印刷出力方式をも採用することができる。ユーザが希望する規格サイズの印刷用紙への印刷出力方式として、印刷データの本来の印刷出力サイズを拡大／縮小して、ユーザが希望する規格サイズに合わせる方式と、印刷データの本来の印刷出力サイズを拡大／縮小しない方式があげられる。
【発明を実施するための最良の形態】
【００１６】
以下、図面を参照しつつ、本発明の実施の形態について説明する。図１は、本実施の形態に係る印刷システムを示す図である。印刷システムは、スキャン装置１、印刷制御装置２、印刷出力装置３などから構成されている。また、印刷システムは、たとえば同一ＬＡＮ内などに配置されている。
【００１７】
本実施の形態に係る印刷システムは、スキャン原稿を印刷出力している。しかし、印刷システムがファックス原稿などの他の種類の原稿を印刷出力する場合であっても、本発明を実施することは可能である。
【００１８】
スキャン装置１は、元原稿をスキャンして、印刷データＤ１を生成する。ここで、印刷データＤ１は、一般的にはイメージデータである。そして、スキャン装置１は、ユーザが設定した印刷データ送信先に、印刷データＤ１を送信する。スキャン装置１は、たとえばデジタル複合機（ＭＦＰ）などである。スキャン装置１は、スキャン設定部１１、スキャン部１２などから構成されている。
【００１９】
スキャン設定部１１は、ユーザがスキャン出力方式や印刷データ送信先などを設定する操作画面を、スキャン装置１において表示する。スキャン部１２は、ユーザが設定したスキャン出力方式に基づいて、元原稿をスキャンして、印刷データＤ１を生成する。また、スキャン部１２は、ユーザが設定した印刷データ送信先に、印刷データＤ１を送信する。
【００２０】
スキャン部１２は、印刷データ送信先に印刷データＤ１を送信する直前に、印刷データＤ１を送信し始めることを示すパケットＰ１を送信する。また、スキャン部１２は、印刷データ送信先に印刷データＤ１を送信した直後に、印刷データＤ１を送信し終わったことを示すパケットＰ２を送信する。
【００２１】
印刷制御装置２は、スキャン装置１から印刷データＤ１を受信する。そして、印刷制御装置２は、印刷出力装置３に印刷データＤ２を送信して印刷出力させる。印刷データＤ２については、すぐ後で説明する。印刷制御装置２は、たとえばサーバ機能を備えるパーソナルコンピュータなどである。印刷制御装置２は、フォルダＦ１、Ｆ２、フォルダ設定部２１、プリンタドライバ起動部２２、プリンタドライバ２３などから構成されている。
【００２２】
フォルダＦ１、Ｆ２は、印刷データＤ１を格納する。本実施の形態においては、印刷制御装置２は、２個のフォルダＦ１、Ｆ２を備えている。しかし、印刷制御装置２が備えているフォルダの個数は任意である。
【００２３】
フォルダ設定部２１は、ユーザがフォルダ作成やフォルダ設定などを行なう操作画面を、印刷制御装置２において表示する。ユーザがフォルダ設定を行なうときには、フォルダＦ１、Ｆ２に格納される印刷データＤ１の印刷出力方式などが設定される。
【００２４】
プリンタドライバ起動部２２は、スキャン装置１からパケットＰ１、Ｐ２を受信する。そして、プリンタドライバ起動部２２は、スキャン装置１からパケットＰ２を受信した直後に、プリンタドライバ２３を起動する。
【００２５】
プリンタドライバ２３は、印刷出力装置３に印刷データＤ２を送信する。ここで、印刷データＤ２は、一般的にはＰＤＬデータであり、ユーザが設定した印刷出力方式などの情報が印刷データＤ１に対して付加された印刷データである。
【００２６】
印刷出力装置３は、印刷制御装置２から印刷データＤ２を受信する。そして、印刷出力装置３は、印刷データＤ２を印刷出力する。印刷出力装置３は、たとえばカラー印刷機能を備えるカラープリンタなどである。印刷出力装置３は、印刷データ変換部３１、印刷部３２などから構成されている。
【００２７】
印刷データ変換部３１は、印刷制御装置２から印刷データＤ２を受信する。そして、印刷データ変換部３１は、印刷データＤ２をイメージデータに変換して、印刷部３２にイメージデータを出力する。
【００２８】
印刷部３２は、印刷データ変換部３１からイメージデータを入力する。そして、印刷部３２は、印刷データＤ２に付加されたユーザが設定した印刷出力方式の情報に基づいて、イメージデータを印刷出力する。
【００２９】
本実施の形態に係る印刷システムにおいては、プリンタドライバ起動部２２は、スキャン装置１からパケットＰ１、Ｐ２を受信することにより、印刷データＤ１がフォルダＦ１、Ｆ２に格納されるタイミングを認識することができる。そのため、プリンタドライバ起動部２２は、印刷データＤ１がフォルダＦ１、Ｆ２に格納され終わったタイミングを認識した直後に、プリンタドライバ２３を起動することができるのである。
【００３０】
本実施の形態に係る印刷システムにおいては、プリンタドライバ起動部２２は、印刷データＤ１がフォルダＦ１、Ｆ２に格納されているかどうかを確認するために、フォルダＦ１、Ｆ２を定期的に監視することはない。そのため、印刷制御装置２の処理負荷が増大して処理速度が低下する問題や、フォルダＦ１、Ｆ２に格納されつつある印刷データＤ１が破壊されるといった問題を解消することができるのである。
【００３１】
次に、ユーザが印刷データを印刷出力する処理の流れについて説明する。まず、ユーザが印刷制御装置２において印刷出力方式を設定する処理の流れについて説明する。次に、ユーザがスキャン装置１において元原稿をスキャンして、印刷出力装置３において印刷データを印刷出力する処理の流れについて説明する。
【００３２】
ユーザは、印刷制御装置２において、フォルダ設定部２１を起動する。フォルダ設定部２１は、印刷制御装置２の表示部において、ユーザがフォルダ設定などを行なうフォルダ設定ウィンドウ２１Ｗを立ち上げる。図２は、フォルダＦ１に対して印刷出力方式を設定するウィンドウを示す図である。また、図３は、フォルダＦ２に対して印刷出力方式を設定するウィンドウを示す図である。
【００３３】
フォルダ設定ウィンドウ２１Ｗは、フォルダ名設定ボックス２１Ｗ−Ｆ、印刷設定チェックボックス２１Ｗ−Ｐ１、２１Ｗ−Ｐ２、用紙サイズ設定プルダウンメニュー２１Ｗ−Ｓなどから構成されている。
【００３４】
フォルダ名設定ボックス２１Ｗ−Ｆは、ユーザがフォルダ名を設定するためのボックスである。図２においては、ユーザはフォルダ名設定ボックス２１Ｗ−Ｆに、「フォルダＦ１」を入力している。また、図３においては、ユーザはフォルダ名設定ボックス２１Ｗ−Ｆに、「フォルダＦ２」を入力している。そのため、フォルダＦ１、Ｆ２が、印刷制御装置２の記憶領域において作成されている。
【００３５】
印刷設定チェックボックス２１Ｗ−Ｐ１、２１Ｗ−Ｐ２は、ユーザが印刷出力方式を設定するためのチェックボックスである。図２においては、ユーザは印刷設定チェックボックス２１Ｗ−Ｐ１にはチェックを入れているが、印刷設定チェックボックス２１Ｗ−Ｐ２にはチェックを入れていない。図３においては、ユーザは印刷設定チェックボックス２１Ｗ−Ｐ１、２１Ｗ−Ｐ２にともにチェックを入れている。
【００３６】
すなわち、フォルダＦ１、Ｆ２に対してユーザが設定した印刷出力方式は、相互に異なる印刷出力方式である。フォルダＦ１に対してユーザが設定した印刷出力方式については、図４を用いて後で詳しく説明する。また、フォルダＦ２に対してユーザが設定した印刷出力方式については、図５を用いて後で詳しく説明する。
【００３７】
用紙サイズ設定プルダウンメニュー２１Ｗ−Ｓは、ユーザが用紙サイズを設定するためのプルダウンメニューである。ユーザは用紙サイズとして、印刷出力装置３が対応する用紙サイズを設定することができる。図２および図３においては、ユーザは用紙サイズとして、Ａ４サイズを設定している。
【００３８】
図２および図３においては記載していないが、フォルダ設定ウィンドウ２１Ｗは、ユーザがフォルダＦ１、Ｆ２の作成場所を設定するためのボックスやプルダウンメニューなどを備えていてもよい。
【００３９】
また、フォルダ設定ウィンドウ２１Ｗは、本実施の形態に係る印刷システムが複数の印刷出力装置を備えている場合に、ユーザが印刷出力装置を選択するためのボックスやプルダウンメニューなどを備えていてもよい。
【００４０】
さらに、フォルダ設定ウィンドウ２１Ｗは、図４および図５を用いて説明する印刷出力方式以外の印刷出力方式を、ユーザが設定するためのボックスやプルダウンメニューなどを備えていてもよい。
【００４１】
次に、図２においてユーザが設定した印刷出力方式について、図４を用いて説明する。図４は、印刷データＤ１の印刷出力結果を示す図である。
【００４２】
通常の印刷出力方式においては、印刷データＤ１の本来の印刷出力サイズがＡ３サイズ、Ａ４サイズ、Ａ５サイズである場合には、印刷データＤ１はそれぞれ、用紙サイズがＡ３サイズ、Ａ４サイズ、Ａ５サイズである印刷用紙Ｄ１−Ｎ−Ａ３、Ｄ１−Ｎ−Ａ４、Ｄ１−Ｎ−Ａ５に印刷出力される。ここで、印刷データＤ１の本来の印刷出力サイズは、たとえば元原稿のスキャン範囲サイズに対応している。
【００４３】
ユーザがフォルダＦ１に対して設定した印刷出力方式においては、印刷データＤ１の本来の印刷出力サイズがＡ３サイズ、Ａ４サイズ、Ａ５サイズである場合には、印刷データＤ１はそれぞれ、用紙サイズがＡ４サイズである印刷用紙Ｄ１−Ｆ１−Ａ３、Ｄ１−Ｆ１−Ａ４、Ｄ１−Ｆ１−Ａ５に印刷出力される。
【００４４】
図２で示したフォルダ設定ウィンドウ２１Ｗにおいて、ユーザは印刷設定チェックボックス２１Ｗ−Ｐ１にはチェックを入れているが、印刷設定チェックボックス２１Ｗ−Ｐ２にはチェックを入れていない。また、ユーザは用紙サイズ設定プルダウン２１Ｗ−Ｓにより、用紙サイズとしてＡ４サイズを設定している。
【００４５】
そのため、印刷データＤ１の本来の印刷出力サイズの変更を伴うことなく、すなわち、印刷データＤ１の本来の印刷出力サイズの拡大／縮小を伴うことなく、印刷データＤ１はＡ４サイズの印刷用紙に印刷出力されるのである。
【００４６】
印刷データＤ１の本来の印刷出力サイズがＡ３サイズである場合には、印刷用紙Ｄ１−Ｎ−Ａ３のうち、破線で区画されたＡ４サイズの左上部分のみが、印刷用紙Ｄ１−Ｆ１−Ａ３に印刷出力される。
【００４７】
印刷データＤ１の本来の印刷出力サイズがＡ４サイズである場合には、印刷用紙Ｄ１−Ｎ−Ａ４の全体が、印刷用紙Ｄ１−Ｆ１−Ａ４に印刷出力される。
【００４８】
印刷データＤ１の本来の印刷出力サイズがＡ５サイズである場合には、印刷用紙Ｄ１−Ｎ−Ａ５の全体が、印刷用紙Ｄ１−Ｆ１−Ａ５のうち、破線で区画されたＡ５サイズの左上部分に印刷出力される。
【００４９】
次に、図３においてユーザが設定した印刷出力方式について、図５を用いて説明する。図５は、印刷データＤ１の印刷出力結果を示す図である。
【００５０】
ユーザがフォルダＦ２に対して設定した印刷出力方式においては、印刷データＤ１の本来の印刷出力サイズがＡ３サイズ、Ａ４サイズ、Ａ５サイズである場合には、印刷データＤ１はそれぞれ、用紙サイズがＡ４サイズである印刷用紙Ｄ１−Ｆ２−Ａ３、Ｄ１−Ｆ２−Ａ４、Ｄ１−Ｆ２−Ａ５に印刷出力される。
【００５１】
図３で示したフォルダ設定ウィンドウ２１Ｗにおいて、ユーザは印刷設定チェックボックス２１Ｗ−Ｐ１、２１Ｗ−Ｐ２にともにチェックを入れている。また、ユーザは用紙サイズプルダウン２１Ｗ−Ｓにより、用紙サイズとしてＡ４サイズを設定している。
【００５２】
そのため、印刷データＤ１の本来の印刷出力サイズの変更を伴って、すなわち、印刷データＤ１の本来の印刷出力サイズの拡大／縮小を伴って、印刷データＤ１はＡ４サイズの印刷用紙に印刷出力されるのである。
【００５３】
印刷データＤ１の本来の印刷出力サイズがＡ３サイズである場合には、印刷用紙Ｄ１−Ｎ−Ａ３の全体が、印刷出力サイズの縮小を伴って、印刷用紙Ｄ１−Ｆ２−Ａ３に印刷出力される。
【００５４】
印刷データＤ１の本来の印刷出力サイズがＡ４サイズである場合には、印刷用紙Ｄ１−Ｎ−Ａ４の全体が、印刷用紙Ｄ１−Ｆ２−Ａ４に印刷出力される。
【００５５】
印刷データＤ１の本来の印刷出力サイズがＡ５サイズである場合には、印刷用紙Ｄ１−Ｎ−Ａ５の全体が、印刷出力サイズの拡大を伴って、印刷用紙Ｄ１−Ｆ２−Ａ５に印刷出力される。
【００５６】
図４および図５で示した実施の形態においては、印刷データＤ１の本来の印刷出力サイズは、Ａ３サイズなどの規格サイズである。しかし、印刷データＤ１の本来の印刷出力サイズが規格サイズでない場合であっても、本発明を実施することができる。
【００５７】
ユーザがフォルダＦ１に対して設定した印刷出力方式においては、印刷データＤ１の本来の印刷出力サイズの拡大／縮小を伴うことなく、印刷データＤ１をユーザが希望する規格サイズの印刷用紙に印刷出力すればよい。
【００５８】
ユーザがフォルダＦ２に対して設定した印刷出力方式においては、印刷データＤ１の本来の印刷出力サイズのうち一辺を、ユーザが希望する規格サイズのうち一辺に合わせるように、印刷データＤ１の本来の印刷出力サイズの拡大／縮小を行なえばよい。
【００５９】
以上で説明した処理の流れをユーザが実行することにより、ユーザは印刷制御装置２において印刷出力方式を設定することができる。次に、ユーザがスキャン装置１において元原稿をスキャンして、印刷出力装置３において印刷データを印刷出力する処理の流れについて説明する。
【００６０】
ユーザは、スキャン装置１において、スキャン部１２に元原稿を設置する。そして、ユーザは、スキャン装置１において、スキャン設定部１１を起動する。スキャン設定部１１は、スキャン装置１の表示部において、ユーザがスキャン出力方式などを設定する操作画面を立ち上げる。
【００６１】
ユーザは、元原稿のスキャン範囲やスキャン解像度などのスキャン出力方式を設定する。また、ユーザは、印刷データ送信先を設定する。本実施の形態においては、ユーザは、印刷データ送信先として、印刷制御装置２の記憶領域において作成されているフォルダＦ１、Ｆ２のうち、いずれかのフォルダを設定する。
【００６２】
すなわち、ユーザが図４で示した印刷出力を行なうときには、ユーザは印刷データ送信先としてフォルダＦ１を設定すればよい。また、ユーザが図５で示した印刷出力を行なうときには、ユーザは印刷データ送信先としてフォルダＦ２を設定すればよい。
【００６３】
スキャン設定部１１は、ユーザが設定したスキャン出力方式および印刷データ送信先を、スキャン部１２に通知する。スキャン部１２は、ユーザが設定したスキャン出力方式に基づいて、元原稿をスキャンして、印刷データＤ１を生成する。そして、スキャン部１２は、ユーザが設定した印刷制御装置２に、パケットＰ１、印刷データＤ１、パケットＰ２をこの順序で送信する。
【００６４】
最初に、プリンタドライバ起動部２２は、パケットＰ１を受信する。すなわち、プリンタドライバ起動部２２は、印刷データ送信先であるフォルダが、印刷データＤ１を格納し始めることを認識するのである。次に、フォルダＦ１、Ｆ２のうち、印刷データ送信先であるフォルダは、印刷データＤ１を格納する。最後に、プリンタドライバ起動部２２は、パケットＰ２を受信する。すなわち、プリンタドライバ起動部２２は、印刷データ送信先であるフォルダが、印刷データＤ１を格納し終わったことを認識するのである。
【００６５】
プリンタドライバ起動部２２は、パケットＰ２を受信した直後に、プリンタドライバ２３を起動する。プリンタドライバ２３は、印刷データ送信先であるフォルダに格納されている印刷データＤ１に対して、ユーザが設定した印刷出力方式の情報が付加された印刷データＤ２を、印刷出力装置３に送信する。
【００６６】
印刷データ変換部３１は、印刷データＤ２を受信して、印刷データＤ２をイメージデータに変換する。そして、印刷部３２は、イメージデータを入力して、印刷データＤ２に付加されたユーザが設定した印刷出力方式に基づいて、イメージデータを印刷出力する。
【００６７】
本実施の形態に係る印刷システムにおいては、ユーザが印刷制御装置２において印刷出力方式をあらかじめ設定することにより、ユーザはスキャン装置１において元原稿をスキャンするときに、印刷出力方式をあらためて設定する必要はない。すなわち、ユーザは希望する印刷出力方式があらかじめ設定されているフォルダを、印刷データ送信先として選択すればよいのである。さらに、ユーザは規格サイズの印刷用紙への印刷出力をも行なうことができる。
【００６８】
本実施の形態に係る印刷システムにおいては、プリンタドライバ起動部２２は、印刷データＤ１がフォルダＦ１、Ｆ２に格納されているかどうかを確認するために、フォルダＦ１、Ｆ２を定期的に監視することはない。しかし、プリンタドライバ起動部２２がパケットＰ２を認識し逃す場合に備えて、プリンタドライバ起動部２２がフォルダＦ１、Ｆ２を監視するようにしてもよい。
【００６９】
たとえば、プリンタドライバ起動部２２がパケットＰ１を認識したが、その後に所定時間が経過してもパケットＰ２を認識していない場合を考える。この場合には、プリンタドライバ起動部２２は、所定時間が経過した後に、フォルダＦ１、Ｆ２を監視するようにすればよい。そして、プリンタドライバ起動部２２は、印刷データＤ１が格納されていることを確認すれば、プリンタドライバ２３を起動するようにすればよい。
【図面の簡単な説明】
【００７０】
【図１】本実施の形態に係る印刷システムを示す図である。
【図２】フォルダに対して印刷出力方式を設定するウィンドウを示す図である。
【図３】フォルダに対して印刷出力方式を設定するウィンドウを示す図である。
【図４】印刷データの印刷出力結果を示す図である。
【図５】印刷データの印刷出力結果を示す図である。
【符号の説明】
【００７１】
１  スキャン装置
２  印刷制御装置
３  印刷出力装置
１１  スキャン設定部
１２  スキャン部
２１  フォルダ設定部
２１Ｗ  フォルダ設定ウィンドウ
２１Ｗ−Ｆ  フォルダ名設定ボックス
２１Ｗ−Ｐ１、２１Ｗ−Ｐ２  印刷設定チェックボックス
２１Ｗ−Ｓ  用紙サイズ設定プルダウンメニュー
２２  プリンタドライバ起動部
２３  プリンタドライバ
３１  印刷データ変換部
３２  印刷部
Ｄ１、Ｄ２  印刷データ
Ｆ１、Ｆ２  フォルダ
Ｐ１、Ｐ２  パケット
【図１】
2008262297.tif 000003
【図２】
2008262297.tif 000004
【図３】
2008262297.tif 000005
【図４】
2008262297.tif 000006
【図５】
2008262297.tif 000007